【手続補正書】
【提出日】平成20年4月10日(2008.4.10)
【手続補正１】
【補正対象書類名】特許請求の範囲
【補正対象項目名】全文
【補正方法】変更
【補正の内容】
【特許請求の範囲】
【請求項１】
光ディスク記録媒体に対するレーザ照射及び反射光検出を行うとともに、レーザ光のフォーカスサーボ機構、トラッキングサーボ機構、及び球面収差補正機構を有するヘッド手段と、
上記ヘッド手段で得られる反射光に基づき、再生信号品質の指標となる第１評価信号を生成する第１評価信号生成手段と、
上記ヘッド手段で得られる反射光に基づく信号として生成されるフォーカスエラー信号に基づいて上記フォーカスサーボ機構を駆動してフォーカスサーボを実行するフォーカスサーボ手段と、
上記ヘッド手段で得られる反射光に基づく信号として生成されるトラッキングエラー信号に基づいて上記トラッキングサーボ機構を駆動してトラッキングサーボを実行するトラッキングサーボ手段と、
球面収差補正値に基づいて上記球面収差補正機構を駆動して球面収差補正を実行する球面収差補正手段と、
上記フォーカスサーボ手段を含むフォーカスループにフォーカスバイアスを加算するフォーカスバイアス手段と、を備えると共に、
少なくとも上記トラッキングサーボ手段によるトラッキングサーボをオンとした状態で、上記フォーカスバイアス手段に設定されるフォーカスバイアス値と上記球面収差補正手段に設定される球面収差補正値の双方を変化させながら上記第１評価信号生成手段により得られる第１評価信号の値を検出した結果に基づき、上記第１評価信号の値が最良となったフォーカスバイアス値と球面収差補正値とを割り出す割出処理と、
少なくとも上記割出処理により割り出した上記フォーカスバイアス値について、その値を所要の第１差分値分ずらした値を上記フォーカスバイアス手段に設定するように制御を行う設定制御処理と、
を実行するように構成された制御手段を備える
光ディスク装置。
【請求項２】
上記第１差分値は、
予め、最適とされるフォーカスバイアスの値と上記第１評価信号の値を最良とするフォーカスバイアスの値との差に基づいて設定された固定の値である請求項１に記載の光ディスク装置。
【請求項３】
さらに、上記ヘッド手段で得られる反射光に基づき、上記第１評価信号とは別の再生信号品質の指標となる第２評価信号を生成する第２評価信号生成手段を備え、
上記制御手段は、
少なくとも上記光ディスク記録媒体が装填されたタイミングに応じて、上記第２評価信号生成手段により得られる第２評価信号と上記第１評価信号生成手段により得られる第１評価信号とのそれぞれについて、少なくとも上記トラッキングサーボ手段によるトラッキングサーボをオンとした状態で、上記フォーカスバイアス手段に設定されるフォーカスバイアス値と上記球面収差補正手段に設定される球面収差補正値の双方を変化させながらその値を検出した結果に基づき、上記第１評価信号の値が最良となったフォーカスバイアス値と球面収差補正値と、上記第２評価信号の値が最良となったフォーカスバイアス値と球面収差補正値とのそれぞれを割り出す装填時割出処理と、
上記装填時割出処理によって割り出された上記第２評価信号の値が最大となったフォーカスバイアスの値と、上記第１評価信号の値が最良となったフォーカスバイアスの値との差の値を上記第１差分値として算出する第１差分値算出処理と、
上記装填時割出処理によって割り出された上記第２評価信号の値が最良となったフォーカスバイアスの値と上記球面収差補正値とを、それぞれ上記フォーカスバイアス手段と上記球面収差補正手段とに設定するように制御を行う装填時設定制御処理と、をさらに実行するようにされると共に、
上記設定制御処理では、
上記割出処理により割り出した上記フォーカスバイアス値を、上記第１差分値算出処理により算出された上記第１差分値分ずらして上記フォーカスバイアス手段に設定するようにされる
請求項１に記載の光ディスク装置。
【請求項４】
上記光ディスク記録媒体は、記録トラックがウォブリングされた記録可能ディスクであり、
上記第１評価信号生成手段は、上記第１評価信号としてプッシュプル信号を生成すると共に、
上記制御手段による上記割出処理では、
上記第１評価信号の値が最良となったフォーカスバイアス値と球面収差補正値として、上記プッシュプル信号の振幅値が最大となったフォーカスバイアスの値と球面収差補正値とを割り出すようにされる
請求項１に記載の光ディスク装置。
【請求項５】
上記光ディスク記録媒体は、記録トラックがウォブリングされた記録可能ディスクであり、
上記第１評価信号生成手段は、上記第１評価信号としてプッシュプル信号を生成し、
上記第２評価信号生成手段は、上記第２評価信号としてＲＦ信号を生成すると共に、
上記制御手段による上記装填時割出処理では、
上記第１評価信号の値が最良となったフォーカスバイアス値と球面収差補正値と、上記第２評価信号の値が最良となったフォーカスバイアス値と球面収差補正値として、それぞれ上記プッシュプル信号の振幅値が最大となったフォーカスバイアスの値と球面収差補正値と、上記ＲＦ信号の振幅値が最大となったフォーカスバイアスの値と球面収差補正値とを割り出すようにされる
請求項３に記載の光ディスク装置。
【請求項６】
上記割出処理、及び上記装填時割出処理では、
上記プッシュプル信号の振幅値の検出を、記録及び／又は再生の最小単位の領域内において行うようにされる
請求項４または請求項５に記載の光ディスク装置。
【請求項７】
上記光ディスク記録媒体は、記録トラックがウォブリングされていない再生専用ディスクであり、
上記第１評価信号生成手段は、上記第１評価信号としてＲＦ信号を生成し、
上記第２評価信号生成手段は、上記第２評価信号として差メトリックの標準偏差による評価信号を生成するようにされ、
上記装填時割出処理では、
上記第１評価信号の値が最良となったフォーカスバイアス値と球面収差補正値と、上記第２評価信号の値が最良となったフォーカスバイアス値と球面収差補正値として、それぞれ上記ＲＦ信号の振幅値が最大となったフォーカスバイアスの値と球面収差補正値と、上記差メトリックの標準偏差の値が最小となったフォーカスバイアスの値と球面収差補正値とを割り出すようにされる
請求項３に記載の光ディスク装置。
【請求項８】
上記制御手段は、上記設定制御処理として、
上記割出処理により割り出したフォーカスバイアス値についてその値を所要の第１差分値分ずらした値を上記フォーカスバイアス手段に設定するように制御を行うと共に、上記割出処理により割り出した上記球面収差補正値についても、その値を所要の第２差分値分ずらした値を上記球面収差補正手段に対して設定するように制御を行う
請求項１に記載の光ディスク装置。
【請求項９】
上記第２差分値は、
予め、最適とされる球面収差補正値と上記第１評価信号の値を最良とする球面収差補正値との差に基づいて設定された固定の値である請求項８に記載の光ディスク装置。
【請求項１０】
さらに、上記ヘッド手段で得られる反射光に基づき、上記第１評価信号とは別の再生信号品質の指標となる第２評価信号を生成する第２評価信号生成手段を備え、
上記制御手段は、
少なくとも上記光ディスク記録媒体が装填されたタイミングに応じて、上記第２評価信号生成手段により得られる第２評価信号と上記第１評価信号生成手段により得られる第１評価信号とのそれぞれについて、少なくとも上記トラッキングサーボ手段によるトラッキングサーボをオンとした状態で、上記フォーカスバイアス手段に設定されるフォーカスバイアス値と上記球面収差補正手段に設定される球面収差補正値の双方を変化させながらその値を検出した結果に基づき、上記第１評価信号の値が最良となったフォーカスバイアス値と球面収差補正値と、上記第２評価信号の値が最良となったフォーカスバイアス値と球面収差補正値とのそれぞれを割り出す装填時割出処理と、
上記装填時割出処理によって割り出された上記第２評価信号の値が最良となった球面収差補正値と、上記第１評価信号の値が最良となった球面収差補正値との差の値を上記第２差分値として算出する第２差分値算出処理と、
上記装填時割出処理によって割り出された上記第２評価信号の値が最良となったフォーカスバイアスの値と上記球面収差補正値とを、それぞれ上記フォーカスバイアス手段と上記球面収差補正手段とに設定するように制御を行う装填時設定制御処理と、をさらに実行するようにされると共に、
上記設定制御処理では、
上記割出処理により割り出した上記球面収差補正値を、上記第２差分値算出処理により算出された上記第２差分値分ずらして上記球面収差補正手段に設定するようにされる
請求項８に記載の光ディスク装置。
【請求項１１】
光ディスク記録媒体に対して照射したレーザ光の反射光に基づき生成されて再生信号品質の指標となる第１評価信号について、少なくともトラッキングサーボをオンとした状態でフォーカスバイアス値と球面収差補正値の双方を変化させながら上記第１評価信号の値を検出した結果に基づき、上記第１評価信号の値が最良となったフォーカスバイアス値と球面収差補正値とを割り出す割出手順と、
上記割出手順より割り出した上記フォーカスバイアス値と上記球面収差補正値とに応じてフォーカスバイアスと球面収差補正値とを設定する上で、少なくとも上記割出手順より割り出した上記フォーカスバイアス値については、その値を所要の第１差分値分ずらした値を設定するように制御する設定制御手順と
を備えたフォーカスバイアス及び球面収差補正値調整方法。
【請求項１２】
光ディスク記録媒体に対するレーザ照射及び反射光検出を行うとともに、レーザ光のフォーカスサーボ機構、トラッキングサーボ機構、及び球面収差補正機構を有するヘッド手段と、
上記ヘッド手段で得られる反射光に基づき、再生信号品質の指標となる第１評価信号を生成する第１評価信号生成手段と、
上記ヘッド手段で得られる反射光に基づく信号として生成されるフォーカスエラー信号に基づいて上記フォーカスサーボ機構を駆動してフォーカスサーボを実行するフォーカスサーボ手段と、
上記ヘッド手段で得られる反射光に基づく信号として生成されるトラッキングエラー信号に基づいて上記トラッキングサーボ機構を駆動してトラッキングサーボを実行するトラッキングサーボ手段と、
球面収差補正値に基づいて上記球面収差補正機構を駆動して球面収差補正を実行する球面収差補正手段と、
上記フォーカスサーボ手段を含むフォーカスループにフォーカスバイアスを加算するフォーカスバイアス手段と、を備えると共に、
少なくとも上記トラッキングサーボ手段によるトラッキングサーボをオンとした状態で、上記フォーカスバイアス手段に設定されているフォーカスバイアス値のレベル又はそのレベルを所要の第１差分値分ずらしたレベルを中心として同レベルで増減するフォーカスバイアスが加算されるように制御を行うと同時に、この同レベルで増減するフォーカスバイアスの加算に応じて上記第１評価信号生成手段で得られた第１評価信号の値を測定する第１測定処理と、
上記第１測定処理により測定した、上記フォーカスバイアスの増加側での上記第１評価信号の値と上記フォーカスバイアスの減少側での上記第１評価信号の値との差を求め、その値が正／負何れであるかについて判別する第１判別処理と、
上記第１判別処理の判別結果に基づき、上記フォーカスバイアス手段において設定されているフォーカスバイアスの値に対して所定のステップ値を加算／減算したフォーカスバイアス値が上記フォーカスバイアス手段に対して設定されるように制御を行う設定制御処理と、
を実行するように構成された制御手段を備える
光ディスク装置。
【請求項１３】
さらに、上記制御手段は、
少なくとも上記光ディスク記録媒体が装填されたタイミングに応じて、少なくとも上記トラッキングサーボ手段によるトラッキングサーボをオンとした状態で、上記フォーカスバイアス手段に設定されるフォーカスバイアス値と上記球面収差補正手段に設定される球面収差補正値の双方を変化させながら上記第１評価信号生成手段により得られる第１評価信号の値を検出した結果に基づき、上記第１評価信号の値が最良となったフォーカスバイアス値と球面収差補正値とを割り出す装填時割出処理と、
上記装填時割出処理により割り出した少なくともフォーカスバイアス値について、その値を上記第１差分値分ずらした値を上記フォーカスバイアス手段に設定するように制御を行う装填時設定制御処理と、を実行するようにされ、
上記第１測定処理では、
上記フォーカスバイアス手段に設定されているフォーカスバイアスの値を上記第１差分値分ずらしたレベルを中心として同レベルで増減するフォーカスバイアスを加算するように制御を行って上記第１評価信号の値を測定するようにされる
請求項１２に記載の光ディスク装置。
【請求項１４】
さらに、上記ヘッド手段で得られる反射光に基づき、上記第１評価信号とは別の再生信号品質の指標となる第２評価信号を生成する第２評価信号生成手段を備え、
上記制御手段は、
少なくとも上記光ディスク記録媒体が装填されたタイミングに応じて、上記第２評価信号生成手段により得られる第２評価信号と上記第１評価信号生成手段により得られる第１評価信号とのそれぞれについて、少なくとも上記トラッキングサーボ手段によるトラッキングサーボをオンとした状態で、上記フォーカスバイアス手段に設定されるフォーカスバイアス値と上記球面収差補正手段に設定される球面収差補正値の双方を変化させながらその値を検出した結果に基づき、上記第１評価信号の値が最良となったフォーカスバイアス値と球面収差補正値と、上記第２評価信号の値が最良となったフォーカスバイアス値と球面収差補正値とのそれぞれを割り出す装填時割出処理と、
上記装填時割出処理によって割り出された上記第２評価信号の値が最良となったフォーカスバイアスの値と、上記第１評価信号の値が最良となったフォーカスバイアスの値との差の値を上記第１差分値として算出する第１差分値算出処理と、
上記装填時割出処理によって割り出された上記第２評価信号の値が最良となったフォーカスバイアスの値と上記球面収差補正値とを、それぞれ上記フォーカスバイアス手段と上記球面収差補正手段とに設定するように制御を行う装填時設定制御処理と、をさらに実行するようにされると共に、
上記第１測定処理では、
上記フォーカスバイアス手段に設定されているフォーカスバイアスの値を上記第１差分値分ずらしたレベルを中心として同レベルで増減するフォーカスバイアスを加算するように制御を行って上記第１評価信号の値を測定するようにされる
請求項１２に記載の光ディスク装置。
【請求項１５】
さらに、上記制御手段は、
少なくとも上記光ディスク記録媒体が装填されたタイミングに応じて、少なくとも上記トラッキングサーボ手段によるトラッキングサーボをオンとした状態で、上記フォーカスバイアス手段に設定されるフォーカスバイアス値と上記球面収差補正手段に設定される球面収差補正値の双方を変化させながら上記第１評価信号生成手段により得られる第１評価信号の値を検出した結果に基づき、上記第１評価信号の値が最良となったフォーカスバイアス値と球面収差補正値とを割り出す装填時割出処理と、
上記装填時割出処理によって割り出された上記第１評価信号の値が最良となったフォーカスバイアスの値と上記球面収差補正値とを、それぞれ上記フォーカスバイアス手段と上記球面収差補正手段とに設定するように制御を行う装填時設定制御処理と、を実行するようにされ、
上記第１測定処理では、
上記フォーカスバイアス手段に設定されているフォーカスバイアス値のレベルを中心として同レベルで増減するフォーカスバイアスを加算するように制御を行って上記第１評価信号の値を測定するようにされる
請求項１２に記載の光ディスク装置。
【請求項１６】
さらに、上記制御手段は、
少なくとも上記トラッキングサーボ手段によるトラッキングサーボをオンとした状態で、上記球面収差補正手段に設定されている球面収差補正値のレベル又はそのレベルを所要の第２差分値分ずらしたレベルを中心として同レベルで増減する球面収差補正値が加算されるように制御を行うと同時に、この同レベルで増減する球面収差補正値の加算に応じて上記第１評価信号生成手段で得られた第１評価信号の値を測定する第２測定処理と、
上記第２測定処理により測定した、上記球面収差補正値の増加側での上記第１評価信号の値と上記球面収差補正値の減少側での上記第１評価信号の値との差を求め、その値が正／負何れであるかについて判別する第２判別処理と、を実行するように構成されると共に、
さらに上記設定制御処理では、
上記第２判別処理の判別結果に基づき、上記球面収差補正手段において設定されている球面収差補正値に対して所定のステップ値を加算／減算した球面収差補正値が上記球面収差補正手段に対して設定されるように制御を行うようにされる
請求項１２に記載の光ディスク装置。
【請求項１７】
さらに、上記制御手段は、
少なくとも上記光ディスク記録媒体が装填されたタイミングに応じて、少なくとも上記トラッキングサーボ手段によるトラッキングサーボをオンとした状態で、上記フォーカスバイアス手段に設定されるフォーカスバイアス値と上記球面収差補正手段に設定される球面収差補正値の双方を変化させながら上記第１評価信号生成手段により得られる第１評価信号の値を検出した結果に基づき、上記第１評価信号の値が最良となったフォーカスバイアス値と球面収差補正値とを割り出す装填時割出処理と、
上記装填時割出処理により割り出したフォーカスバイアス値については、その値を所要の第１差分値分ずらした値を上記フォーカスバイアス手段に設定するように制御を行い、上記装填時割出処理により割り出した球面収差補正値については、その値を上記第２差分値分ずらした値を上記球面収差補正手段に設定するように制御を行う装填時設定制御処理と、を実行するようにされ、
上記第２測定処理では、
上記球面収差補正手段に設定されている球面収差補正値を上記第２差分値分ずらしたレベルを中心として同レベルで増減する球面収差補正値を加算するように制御を行って上記第１評価信号の値を測定するようにされる
請求項１６に記載の光ディスク装置。
【請求項１８】
さらに、上記ヘッド手段で得られる反射光に基づき、上記第１評価信号とは別の再生信号品質の指標となる第２評価信号を生成する第２評価信号生成手段を備え、
上記制御手段は、
少なくとも上記光ディスク記録媒体が装填されたタイミングに応じて、上記第２評価信号生成手段により得られる第２評価信号と上記第１評価信号生成手段により得られる第１評価信号とのそれぞれについて、少なくとも上記トラッキングサーボ手段によるトラッキングサーボをオンとした状態で、上記フォーカスバイアス手段に設定されるフォーカスバイアス値と上記球面収差補正手段に設定される球面収差補正値の双方を変化させながらその値を検出した結果に基づき、上記第１評価信号の値が最良となったフォーカスバイアス値と球面収差補正値と、上記第２評価信号の値が最良となったフォーカスバイアス値と球面収差補正値とのそれぞれを割り出す装填時割出処理と、
上記装填時割出処理によって割り出された上記第２評価信号の値が最良となった球面収差補正値と、上記第１評価信号の値が最良となった球面収差補正値との差の値を上記第２差分値として算出する第２差分値算出処理と、
上記装填時割出処理によって割り出された上記第２評価信号の値が最良となったフォーカスバイアスの値と上記球面収差補正値とを、それぞれ上記フォーカスバイアス手段と上記球面収差補正手段とに設定するように制御を行う装填時設定制御処理と、をさらに実行するようにされると共に、
上記第２測定処理では、
上記球面収差補正手段に設定されている球面収差補正値を上記第２差分値分ずらしたレベルを中心として同レベルで増減する球面収差補正値を加算するように制御を行って上記第１評価信号の値を測定するようにされる
請求項１６に記載の光ディスク装置。
【請求項１９】
さらに、上記制御手段は、
少なくとも上記光ディスク記録媒体が装填されたタイミングに応じて、少なくとも上記トラッキングサーボ手段によるトラッキングサーボをオンとした状態で、上記フォーカスバイアス手段に設定されるフォーカスバイアス値と上記球面収差補正手段に設定される球面収差補正値の双方を変化させながら上記第１評価信号生成手段により得られる第１評価信号の値を検出した結果に基づき、上記第１評価信号の値が最良となったフォーカスバイアス値と球面収差補正値とを割り出す装填時割出処理と、
上記装填時割出処理によって割り出された上記第１評価信号の値が最良となったフォーカスバイアスの値と上記球面収差補正値とを、それぞれ上記フォーカスバイアス手段と上記球面収差補正手段とに設定するように制御を行う装填時設定制御処理と、を実行するようにされ、
上記第２測定処理では、
上記球面収差補正手段に設定されている球面収差補正値のレベルを中心として同レベルで増減する球面収差補正値を加算するように制御を行って上記第１評価信号の値を測定するようにされる
請求項１６に記載の光ディスク装置。
【手続補正２】
【補正対象書類名】明細書
【補正対象項目名】００１３
【補正方法】変更
【補正の内容】
【００１３】
そこで、本発明では以上のような問題点に鑑み、先ず第１として、光ディスク装置を以下のように構成することとした。
つまり、先ず、光ディスク記録媒体に対するレーザ照射及び反射光検出を行うとともに、レーザ光のフォーカスサーボ機構、トラッキングサーボ機構、及び球面収差補正機構を有するヘッド手段と、上記ヘッド手段で得られる反射光に基づき、再生信号品質の指標となる第１評価信号を生成する第１評価信号生成手段とを備える。
また、上記ヘッド手段で得られる反射光に基づく信号として生成されるフォーカスエラー信号に基づいて上記フォーカスサーボ機構を駆動してフォーカスサーボを実行するフォーカスサーボ手段と、上記ヘッド手段で得られる反射光に基づく信号として生成されるトラッキングエラー信号に基づいて上記トラッキングサーボ機構を駆動してトラッキングサーボを実行するトラッキングサーボ手段とを備える。
また、球面収差補正値に基づいて上記球面収差補正機構を駆動して球面収差補正を実行する球面収差補正手段と、上記フォーカスサーボ手段を含むフォーカスループにフォーカスバイアスを加算するフォーカスバイアス手段を備える。
その上で、以下の処理を実行する制御手段を備える。
つまり、少なくとも上記トラッキングサーボ手段によるトラッキングサーボをオンとした状態で、上記フォーカスバイアス手段に設定されるフォーカスバイアス値と上記球面収差補正手段に設定される球面収差補正値の双方を変化させながら上記第１評価信号生成手段により得られる第１評価信号の値を検出した結果に基づき、上記第１評価信号の値が最良となったフォーカスバイアス値と球面収差補正値とを割り出す割出処理と、少なくとも上記割出処理により割り出した上記フォーカスバイアス値について、その値を所要の第１差分値分ずらした値を上記フォーカスバイアス手段に設定するように制御を行う設定制御処理と、を実行するものである。
【手続補正３】
【補正対象書類名】明細書
【補正対象項目名】００１５
【補正方法】変更
【補正の内容】
【００１５】
さらに本発明では、第２として、光ディスク装置を以下のように構成することとした。
つまり、先ず、光ディスク記録媒体に対するレーザ照射及び反射光検出を行うとともに、レーザ光のフォーカスサーボ機構、トラッキングサーボ機構、及び球面収差補正機構を有するヘッド手段と、上記ヘッド手段で得られる反射光に基づき、再生信号品質の指標となる第１評価信号を生成する第１評価信号生成手段とを備える。
また、上記ヘッド手段で得られる反射光に基づく信号として生成されるフォーカスエラー信号に基づいて上記フォーカスサーボ機構を駆動してフォーカスサーボを実行するフォーカスサーボ手段と、上記ヘッド手段で得られる反射光に基づく信号として生成されるトラッキングエラー信号に基づいて上記トラッキングサーボ機構を駆動してトラッキングサーボを実行するトラッキングサーボ手段とを備える。
また、球面収差補正値に基づいて上記球面収差補正機構を駆動して球面収差補正を実行する球面収差補正手段と、上記フォーカスサーボ手段を含むフォーカスループにフォーカスバイアスを加算するフォーカスバイアス手段とを備える。
その上で、以下の処理を実行する制御手段を備える。
すなわち、少なくとも上記トラッキングサーボ手段によるトラッキングサーボをオンとした状態で、上記フォーカスバイアス手段に設定されているフォーカスバイアス値のレベル又はそのレベルを所要の第１差分値分ずらしたレベルを中心として同レベルで増減するフォーカスバイアスが加算されるように制御を行うと同時に、この同レベルで増減するフォーカスバイアスの加算に応じて上記第１評価信号生成手段で得られた第１評価信号の値を測定する第１測定処理を実行する。
また、上記第１測定処理により測定した、上記フォーカスバイアスの増加側での上記第１評価信号の値と上記フォーカスバイアスの減少側での上記第１評価信号の値との差を求め、その値が正／負何れであるかについて判別する第１判別処理と、上記第１判別処理の判別結果に基づき、上記フォーカスバイアス手段において設定されているフォーカスバイアスの値に対して所定のステップ値を加算／減算したフォーカスバイアス値が上記フォーカスバイアス手段に対して設定されるように制御を行う設定制御処理とを実行するものである。